(57)【要約】【課題】熟練度によって検査結果にずれが生じることがなく、かつ検査の作業効率を向上する。【解決手段】釘調整検査具２００では、ｘ方向検査対象である寸法Ｅと、ｙ方向検査対象である角度θを１回の動作で検査できるようにした。すなわち、第１検査部２０４に命釘１９ＩＮのｘ方向の調整と同等に拡幅（寸法Ｅ）しているゲージ部２１８を形成すると共に、当該ゲージ部２１８を命釘１９ＩＮのｙ方向の調整と同等に傾斜（角度θ）する構造とした。このため、ｘ方向、及びｙ方向の検査が同時に実行可能であるため、作業効率が向上される。また、検査の仕方によって、或いは、検査員の熟練度によって、検査結果に差が生じるようなことはなく、未熟な検査員であっても、正確な検査が可能である。【選択図】図５
2017176245.tif 000002
【特許請求の範囲】
【請求項１】
遊技盤面に突き当てて位置決めするための基準面部と、
前記基準面部が位置決めされた状態で、遊技盤面を基準面とした一対の釘の調整状態を検査するゲージ部と、
を有する釘調整検査具。
【請求項２】
前記ゲージ部が、
前記一対の釘において、遊技盤面に打ち込まれている位置に対して釘の頭部側の遊技盤に対する左右方向へのピッチ寸法の調整状態と、当該一対の釘の遊技盤の上下方向への傾斜角度の調整状態とを、同時に検査可能であることを特徴とする請求項１記載の釘調整検査具。
【請求項３】
前記基準面部が遊技盤面に突き当てられ、かつ、前記ゲージ部が自重で前記一対の釘に載せられたときの、当該ゲージ部と前記一対の釘との相対位置関係が、前記釘の調整状態の適否となることを特徴とする請求項１又は請求項２記載の釘調整検査具。
【請求項４】
前記基準面部及び前記ゲージ部を構成する本体が、
合成樹脂製の成形品であり、矩形ブロック状の外観に対して、断面の肉厚が外形よりも薄く、かつ均一になるように空間部が形成されていることを特徴とする請求項１〜請求項３の何れか１項記載の釘調整検査具。
【請求項５】
前記ゲージ部での検査において、正常時と異常時とで、目視で異なる形態を取り得る指標手段をさらに有することを特徴とする請求項１〜請求項４の何れか１項記載の釘調整検査具。
【発明の詳細な説明】
【技術分野】
【０００１】
本発明は、遊技盤へ打ち込まれた釘の向きの調整状態を検査する釘調整検査具に関する。
【背景技術】
【０００２】
遊技機、特にパチンコ機において、遊技仕様の一例として、特別図柄始動入賞口に入賞したパチンコ球を検出することで特別図柄抽選がなされ、この特別図柄抽選の結果、当たりとなると、大入賞口が所定期間、所定回数開放され（１回の開閉を１ラウンドとし、一般に合計で１０〜１６ラウンド継続する。）、通常時よりも遊技球の賞球が増加する、遊技者に有利な状態とする機能（大役処理）を持つパチンコ機がある。
【０００３】
上記構成のパチンコ機では、遊技球が特別図柄始動入賞口に入賞する確率（始動口入賞率）が、遊技状態を大きく作用する。
【０００４】
一般的に、特別図柄始動口の上部開口には、幅方向両端部に命釘と称される一対の釘が取り付けられている。
【０００５】
釘は、遊技盤面に打ち込まれた釘は、予め定めた向き（遊技盤の横方向（ｘ方向）と縦方向（ｙ方向）のそれぞれの角度）に調整されているが、例えば、ホールに納品する場合に、その運搬過程等における振動や衝撃で、調整状態がずれる場合がある。
【０００６】
なお、命釘の場合、ｘ方向とは、主として、頭の根元の一対の釘の隙間寸法であり、ｙ方向とは、遊技盤面に対する釘の軸線の仰角である。
【０００７】
上記命釘は、所謂出玉に大きく関わる重要な釘であり、ｘ方向及びｙ方向の向きを確認する必要がある。
【０００８】
このため、検査員は、ｘ方向専用のゲージとｙ方向専用のゲージを所持し、それぞれのゲージを使い分けて、釘の調整状態を検査している。
【０００９】
なお、参考として、遊技球を特別始動入賞口へ案内する役目を持つ、所謂連釘の間隔や傾きを調整するために連釘を構成する各々の釘を取り込む溝を設けた釘測定器が提案されている（特許文献１参照）。
【先行技術文献】
【特許文献】
【００１０】
【特許文献１】特開２００３−１５４０８８
【発明の概要】
【発明が解決しようとする課題】
【００１１】
しかしながら、特にｘ方向及びｙ方向の調整状態が重要な釘の検査に関して、それぞれ別々のゲージを釘にあてがい検査する作業は、作業効率が悪く、また、所謂、熟練度によって検査結果にずれが生じやすい。
【００１２】
本発明は上記事実を考慮し、熟練度によって検査結果にずれが生じることがなく、かつ検査の作業効率を向上することができる釘調整状態検査具を得ることが目的である。
【課題を解決するための手段】
【００１３】
本発明は、遊技盤面に突き当てて位置決めするための基準面部と、前記基準面部が位置決めされた状態で、遊技盤面を基準面とした一対の釘の調整状態を検査するゲージ部と、を有する釘調整検査具である。
【００１４】
本発明によれば、基準面部は、遊技盤面に突き当てられ、所謂位置決めの役目を有する。ゲージ部は、一対の釘における遊技盤面を基準面とした調整状態を検査する。ゲージ部と一つの釘との基準を共通とすることで、ゲージ部での調整状態の検査が容易となる。
【００１５】
本発明において、前記ゲージ部が、前記一対の釘において、遊技盤面に打ち込まれている位置に対して釘の頭部側の遊技盤に対する左右方向へのピッチ寸法の調整状態と、当該一対の釘の遊技盤の上下方向への傾斜角度の調整状態とを、同時に検査可能であることを特徴としている。
【００１６】
ｘ方向は、遊技盤面に打ち込まれている位置のピッチ寸法に対して釘の頭部側が遊技盤の左右方向に拡幅された位置のピッチ寸法である。
【００１７】
ｙ方向は、一対の釘が遊技盤の上下方向に傾斜された位置の傾斜角度（仰角）である。
【００１８】
本発明の釘調整検査具は、ｘ方向とｙ方向の釘の調整状態の検査が同時に実行可能であり、作業効率を向上することができる。
【００１９】
本発明において、前記基準面部が遊技盤面に突き当てられ、かつ、前記ゲージ部が自重で前記一対の釘に載せられたときの、当該ゲージ部と前記一対の釘との相対位置関係が、前記釘の調整状態の適否となることを特徴としている。
【００２０】
釘調整検査具と一対の釘との相対位置関係で、釘の調整状態の適否を判別することができる。
【００２１】
本発明において、前記基準面部及び前記ゲージ部を構成する本体が、合成樹脂製の成形品であり、矩形ブロック状の外観に対して、断面の肉厚が外形よりも薄く、かつ均一になるように空間部が形成されていることを特徴としている。
【００２２】
合成樹脂製の塊で本体を成形した場合、少なからず歪みが発生し、ゲージ部の精度に影響を与えることになる。そこで、本体に空間部を形成し、断面の肉厚を外形よりも薄く、かつ均一とした。これにより、ひずみの発生を抑制することができる。
【００２３】
本発明において、前記ゲージ部での検査において、正常時と異常時とで、目視で異なる形態を取り得る指標手段をさらに有することを特徴としている。
【００２４】
指標手段を設けることで、目視による検査の正常又は異常の判定がし易くなる。
【発明の効果】
【００２５】
以上説明した如く本発明では、熟練度によって検査結果にずれが生じることがなく、かつ検査の作業効率を向上することができるという優れた効果を有する。
【図面の簡単な説明】
【００２６】
【図１】本実施の形態に係るパチンコ機の正面図である。
【図２】本実施の形態に係る遊技盤の正面図である。
【図３】（Ａ）は図２のＩＩＩＡ線矢視の命釘の上面図、（Ｂ）は図２のＩＩＢ線矢視の命釘の右側面図、（Ｃ）は図２のＩＩＩＣ線矢視の命釘の下面図である。
【図４】本実施の形態に係る釘調整具の斜視図である。
【図５】本実施の形態に係る釘調整具であり、（Ａ）は、図４のＶＡ線方向（下方向）から見た斜視図、（Ｂ）は図５（Ａ）のＶＢ−ＶＢ線断面図、（Ｃ）は図５（Ａ）のＶＣ線方向（上方向）から見た第１検査部の平面図である。
【図６】図３（Ｃ）に対応する命釘の下面図であり（Ａ）は調整正常状態、（Ｂ）は調整異常状態を示す。
【図７】変形例１に係る釘検査具の第１検査部の側面図であり、（Ａ）は調整正常状態、（Ｂ）は調整異常状態を示す。
【図８】変形例２に係る釘検査具の第１検査部の側面図であり、（Ａ）は調整正常状態、（Ｂ）は調整異常状態を示す。
【発明を実施するための形態】
【００２７】
（パチンコ機の構成）
図１に示されるように、パチンコ機１０の前面下部には、下飾り１２が取り付けられている。また、パチンコ機１０の下飾り１２の上部には、互いに平行、かつ奥行き方向に所定の間隔をおいて配置された一対のガラス板１４を装着したガラス枠１６が配置されており、ガラス枠１６は、図１に示す状態で左側端部が支持されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００２８】
ガラス枠１６の下部には、皿部材２４が配置されている。皿部材２４の図１の右端部には、鍵穴２７が設けられている。例えば、この鍵穴２７にキーを差し込み、左右の内、一方に回すとガラス枠１６が開放し、他方に回すと一体皿２４が開放する。なお、回す角度が浅いとガラス枠１６が開放し、さらに同じ方向に深く回すと一体皿２４が開放する構成であってもよい。
【００２９】
皿部材２４には、上皿部２８と、下皿部３０とが設けられている。上皿部２８を形成する表層部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００３０】
上皿部２８の周縁部３２における図１の右端部には、球貸ボタン４２と、返却ボタン４４が設けられている。
【００３１】
また、一体皿２４の右側下部には打球の発射力（飛距離）を調整するためのグリップユニット（発射ハンドル）２６が取り付けられ、左側下部には、灰皿等の補助部材４６が取り付けられている。
【００３２】
皿部材２４における下皿部３０の図１の右側には受け皿スピーカ６０Ｕが配置されている。
【００３３】
ここで、皿部材２４における上皿部２８の表層部３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３４】
ガラス枠１６におけるガラス板１４の周囲には、アーチ状に遊技の進行に応じて点灯、消灯、及び点滅し照明による視覚的効果や、音声等による聴覚的効果等の演出効果を生み出す上演出部５２が配置されている。この上演出部５２の下端部は、皿部材２４の周囲に略Ｕ字型に配置された下演出部５４の上端部と連結されている。
【００３５】
この結果、上演出部５２と下演出部５４とで、遊技盤１８の周囲を取り囲むように、演出部５６が形成されている。
【００３６】
この演出部５６は、上演出部５２及び下演出部５４共に、照明部材（ＬＥＤ等の発光素子やランプ）が取り付けられた基板（図示省略）と、この基板を覆うように、所定の意匠で形成されたレンズカバー５８が取り付けられている。
【００３７】
レンズカバー５８は、前記照明部材が点灯する領域を区画するよう凹凸状にカットされており、区画された領域（以下、必要に応じて「レンズ部」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示６２が設けられ、遊技状態の報知（エラー報知等を含む）に適用される。
【００３８】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００３９】
なお、以下では、前述した受け皿スピーカ６０Ｕと、このガラス枠スピーカ６０Ｃ、６０Ｌ、６０Ｒとを総称して、「スピーカ６０」という。
【００４０】
（遊技盤の構成）
図２に示される遊技盤１８は、基板となるアクリル板又はベニヤ板に、適宜、樹脂製シート状のセルが貼着されており、その表面が盤面となっている。遊技盤１８の盤面の外周端部付近に、円弧状の外レール１０２及び内レール１０４が取り付けられている。これらの外レール１０２及び内レール１０４によって囲まれた円形状の領域は、発射装置（図示省略）から発射されて打ち込まれた遊技球ＰＢが自重落下により移動可能とされ、この領域が遊技を行う遊技領域とされている。
【００４１】
遊技盤１８の遊技領域には、釘１９及び風車２１が点在して打ち込まれている。また、遊技領域におけるほぼ中央には、センター役物１０５が配置されている。センター役物１０５は、各種演出等の映像を表示する液晶表示部（ＬＣＤ表示部）１０６を備えている。
【００４２】
ＬＣＤ表示部１０６では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合を、「リーチ」という。
【００４３】
センター役物１０５の下辺部は、ステージ１０５Ｓが形成されている。ステージ１０５Ｓには、釘１９等で跳ね返えることで受け入れた遊技球ＰＢ、或いは図示しないワープ路に案内されて受け入れた遊技球ＰＢが送り込まれるようになっている。
【００４４】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００４５】
図２に示される如く、センター役物１０５の図２に向かって左右側には、それぞれ普通図柄抽選の始動機能を持つ通過ゲート１１８Ａ、１１８Ｂが配置されている。
【００４６】
また、センター役物１０５の下部には、特別図柄始動入賞口（Ａ）１２９が配置され、前記通過ゲート１１８Ｂの直下には、特別図柄始動入賞口（Ｂ）１３４が配置されている。
【００４７】
特別図柄始動入賞口（Ａ）１２９は、遊技盤１８面から突出した形状であり、遊技盤１８に沿って落下してくる遊技球ＰＢを受け入れることが可能なように上部が開口している。この特別図柄始動入賞口（Ａ）１２９の開口の幅方向両端部には、所謂一対の釘１９が打ち込まれている。以下、この一対の釘１９は、必要に応じて、他の釘と区別する場合に、命釘１９ＩＮという場合がある。
【００４８】
一方、特別図柄始動入賞口（Ｂ）１３４は、遊技盤１８面から突出しておらず、遊技盤１８に直接設けられた開口となっている。この開口には、所謂くちばし型又は舌型の役物装置１３６（以下、電動チューリップ１３６という）が取り付けられている。電動チューリップ１３６が突出状態になると、遊技盤１８の面に沿って設けられた特別図柄始動入賞口（Ｂ）１３４の開口へのパチンコ球ＰＢの受け入れが可能となる。
【００４９】
なお、本実施の形態では、特別図柄始動入賞口（Ａ）１２９と特別図柄始動入賞口（Ｂ）１３４とを、別構造として、異なる位置に設けているが、例えば、特別図柄始動入賞口（Ａ）１２９の直下に特別図柄始動入賞口（Ｂ）１３４を配置してもよく、この場合、特別図柄始動入賞口（Ｂ）１３４には電動チューリップを付加される場合がある。
【００５０】
また、単一の特別図柄始動入賞口（Ａ）１２９を備えるようにしてもよい。
【００５１】
図２に示される如く、前記特別図柄始動入賞口（Ａ）１２９の図２に向かって右側には、アタッカー１１２が配置されている。
【００５２】
アタッカー１１２には、開閉扉１１６が設けられている。開閉扉１１６の開放時には、開閉扉１１６上に落下した遊技球ＰＢが開閉扉１１６に案内されてアタッカー１１２へ入賞する。
【００５３】
また、遊技領域の最下位置には、外れ球を遊技盤１８の裏側へ排出するアウト口１２４が設けられている。
【００５４】
さらに、センター役物１０５よりも下、かつ特別図柄始動入賞口（Ａ）１２９の左側は、複数の一般入賞口１２０（本実施の形態では、３個の一般入賞口１２０Ａ、１２０Ｂ、１２０Ｃ）が設けられている。なお、一般入賞口１２０は、３個に限られるものではなく、例えば、入賞率等の設計上の演算によってその数を決めればよい。
【００５５】
また、この遊技領域に設けられたセンター役物１０５や盤面周縁には、遊技の進行に応じて点灯、消灯、及び点滅し照明による演出効果を生み出す照明演出用の発光素子が多数設けられている。
【００５６】
ここで、特別図柄始動入賞口（Ａ）１２９又は特別図柄始動入賞口（Ｂ）１３４に遊技球ＰＢが入賞すると、特別図柄抽選が実行され、この特別図柄抽選に当選すると、前記アタッカー１１２の開閉扉１１６が所定のパターンで開閉動作し、これを所定回数（所定ラウンド）繰り返すようになっている（「特別遊技状態」又は「大役処理」等と言う場合がある）。
【００５７】
なお、前記特別図柄抽選の当選／落選は、主としてＬＣＤ表示部１０６の図柄変動表示演出において報知され、この図柄変動パターン演出中、或いは、前記大役処理中の場合は、抽選結果を保留し、順次報知していくようになっている。また、図柄変動表示演出と共に、動物などが擬人化されたキャラクタが表示され、特別図柄抽選で当選した旨を暗示させることにより、遊技者に期待感を持たせるといった、視覚的な演出をすることがあり、その場合は効果音によって聴覚からも遊技者の興趣を増大させる。
【００５８】
ここで、本実施の形態のパチンコ機が、上記遊技仕様で遊技が進行する場合、特別図柄始動入賞口（Ａ）１２９への入賞率が、その後の遊技の進行に大きく影響することになる。
【００５９】
このため、特別図柄始動入賞口（Ａ）１２９への遊技球ＰＢの入賞を大きく左右する、前述の命釘１９ＩＮは、遊技盤１８の表面に対する向き（遊技盤１８の左右方向であるｘ方向と、遊技盤１８の上下方向である方向）が厳密に調整されている。
【００６０】
図３（Ａ）〜（Ｃ）は、図２に示す命釘１９ＩＮに対する上面図（図２のＩＩＩＡ線矢視）、側面図（図２のＩＩＩＢ線矢視）、及び下面図（図２のＩＩＩＣ線矢視）である。
【００６１】
図３（Ａ）に示す寸法Ａは、遊技盤１８に打ち込まれている一対の命釘１９ＩＮのピッチ寸法であり、本実施の形態の寸法Ａは、１２．８ｍｍである。
【００６２】
図３（Ａ）に示す寸法Ｂは、前記１２．８ｍｍのピッチで打ち込まれた一対の命釘１９ＩＮの内寸であり、本実施の形態の寸法Ｂは、１０．９５ｍｍである。
【００６３】
図３（Ａ）に示す寸法Ｃは、遊技盤１８面から命釘１９ＩＮの釘頭部１９Ｈの頂部までの突出寸法であり、本実施の形態の寸法Ｃは、１８ｍｍである。
【００６４】
図３（Ａ）に示す寸法Ｄは、遊技盤１８面から命釘１９ＩＮの釘頭部１９ＨＡのかさ下までの突出寸法であり、本実施の形態の寸法Ｄは、１７．５ｍｍである。
【００６５】
ここで、命釘１９ＩＮは、遊技盤１８への打ち込み位置から、釘頭部１９Ｈにいくに従い徐々に拡幅するように調整されている。
【００６６】
このため、図３（Ａ）に示す寸法Ｅは、この拡幅された一対の命釘１９ＩＮのかさ下の内寸であり、前記寸法Ｂよりも大きく、本実施の形態の寸法Ｅは、１１．５０ｍｍ又は１２．００ｍｍである（主として、１２．００ｍｍ）。
【００６７】
すなわち、本実施の形態の命釘１９ＩＮの寸法Ｅ（かさ下寸法）は、前記寸法Ｂに比べて、内寸が拡幅されている（寸法Ｅが１２．００ｍｍの場合、寸法Ｂとの差は、２．０５ｍｍ）。
【００６８】
この拡幅が、命釘１９ＩＮのｘ方向の調整であり、ｘ方向の検査対象となる。
【００６９】
図３（Ｂ）に示す角度寸法θは、遊技盤１８に内込まれた命釘１９ＩＮの軸線の、遊技盤１８の法線に対する上向きの傾斜角度（仰角）であり、本実施の形態の角度θは、５°である。
【００７０】
この上向きの傾斜が、命釘１９ＩＮのｙ方向の調整であり、ｙ方向の検査対象となる。
【００７１】
ここで、従来の命釘１９ＩＮの調整状態の検査では、ｘ方向はｘ方向専用のゲージがあり、ｙ方向はｙ方向専用のゲージがある。
【００７２】
ｘ方向ゲージは、金属製平板で幅寸法が、前記図３（Ａ）の寸法Ｅとなっており、検査員は、ｘ方向ゲージを一対の命釘１９ＩＮのかさ下に入り込ませ、ｘ方向ゲージが緊密に入り込むか否かを判定している。ｘ方向ゲージが入らない場合、或いは、がたつきがあった場合、「異常」と判断する。
【００７３】
一方、ｙ方向ゲージは、金属製平板で、厚み方向（側端面）が、図３（Ｂ）の角度θに傾斜しており、検査員は、ｙ方向ゲージを、遊技盤１８と命釘１９ＩＮの主軸とに端面をあてがい、ｙ方向ゲージが命釘１９ＩＮの主軸と隙間がないかを判定している。ｙ方向ゲージと主軸との間に隙間が有る場合、「異常」と判断する。
【００７４】
しかしながら、従来のｘ方向ゲージ及びｙ方向ゲージでは、ｘ方向及びｙ方向をそれぞれ別々のゲージで検査しており、作業効率が悪い。
【００７５】
また、検査の仕方が、検査員の熟練度に依存しており、検査結果に差が生じる場合がある。
【００７６】
そこで、本実施の形態では、新規の釘調整検査具２００（図４参照）によって、命釘１９ＩＮにおける、ｘ方向とｙ方向の調整状態を同時に検査し得るようにした。
【００７７】
図４及び図５には、本実施の形態に係る釘調整検査具２００が示されている。
【００７８】
釘調整検査具２００は、外観が直方体の主部２０２と、主部２０２の長手方向両端部にそれぞれ第１検査部２０４、第２検査部２０６とが設けられている。本実施の形態では、主部２０２と第１検査部２０４、第２検査部２０６とは、合成樹脂製で一体成形されている。
【００７９】
主部２０２の上面は、化粧面とされ、例えば、成型段階で、検査対象のパチンコ機１０の製造メーカー等のロゴマークを含む情報表示部２０２Ａが設けられる場合がある。また、上面に液晶表示装置を埋め込むようにしてもよい。
【００８０】
また、主部２０２の一方の側面には、所定のカーブを有する橋桁状の突起部２０８が形成されている。突起部２０８の両端部の間は、空間部２１０が形成されている。
【００８１】
この空間部２１０には、図示しないストラップを取り付けることが可能となっている（検査員の紛失防止対策）。
【００８２】
本実施の形態に係る釘調整検査具２００は、第１検査部２０４と第２検査部２０６とを備えており、これは、前述した図３（Ａ）の寸法Ｅとした設定された２種類の寸法（１２．００ｍｍ及び１１．５０ｍｍ）のそれぞれに対応するものである。言い換えれば、第１検査部２０４と第２検査部２０６とは、以下に説明するゲージ部の寸法が異なるのみで、基本構造は同一となっている。
【００８３】
第１検査部２０４及び第２検査部２０６のそれぞれの上面には、釘調整寸法（図３（Ａ）の寸法Ｅ）が標記されており（刻印部２１２）、目視によって、第１検査部２０４、及び第２検査部２０６を見極めることが可能となっている。例えば、検査員は、釘調整寸法（図３（Ａ）の寸法Ｅ）が１２．００ｍｍに設定された釘調整の検査を行う場合は、１２．００ｍｍと標記された第１検査部２０２及び第２検査部２０４を命釘１９ＩＮに対峙させるように主部２０２を把持すればよい。
【００８４】
すなわち、本実施の形態の釘調整検査具２００は、第１検査部２０４又は第２検査部２０６を使い分けることで、２種類の寸法設定の釘調整状態の検査を実施することができる構造となっている。
【００８５】
以下、第１検査部２０４、及び第２検査部２０６の構成について説明するが、基本構造は同一であるため、何れか一方（例えば、１２．００ｍｍ検査用の第１検査部２０４）について説明し、他の一方の構成の説明は省略する。
【００８６】
図５に示される如く、第１検査部２０４は、釘調整検査具２００の短手方向である幅方向の一部が、主部２０２の幅方向寸法よりも拡大されており、当該幅方向両端部に突出部２１４が形成されている。
【００８７】
突出部２１４は、第１検査部２０４の主部２０２寄りの約１／２の領域の先端部が、略９０度屈曲された屈曲部２１６が形成されている。
【００８８】
突出部２１４の上面は、第１検査部２０４の上面と所謂「面一」であり、当該平面上の上面に前記釘調整寸法の刻印部２１２が設けられている。
【００８９】
また、突出部２１４の下面は、ゲージ部２１８とされている。このゲージ部２１８において、屈曲部２１６が形成された領域は、第１検査部２０４の側面、ゲージ部２１８、及び屈曲部２１６によって三方が囲まれて略Ｕ字型の溝部２１８Ａが形成されている。
【００９０】
ここで、ゲージ部２１８の一端部でもある、第１検査部２０４の先端面は平面であり、遊技盤１８へ突き当てる突き当て面部２２０とされている、
図５（Ａ）に示される如く、この突き当て面部２２０から、前記突出部２１４におけるゲージ部２１８の主部２０２側の端部までの長さ寸法ｄは、図３（Ａ）に示す寸法Ｄに対応している。
【００９１】
また、図５（Ａ）に示される如く、突き当て面部２２０における、突出部２１４を除く幅寸法ｂは、図３（Ａ）に示す寸法Ｂに対応している。
【００９２】
さらに、図５（Ａ）に示される如く、突き当て面部２２０における、幅方向両端部に位置するゲージ部２１８のピッチ寸法ａは、図３（Ａ）に示す寸法Ａに対応している。
【００９３】
また、図５（Ｃ）に示される如く、一対のゲージ部１８の主部２０２側の内寸法ｅは、図３（Ａ）に示す寸法Ｅに対応している。
【００９４】
ここで、ゲージ部２１８は、前記突き当て面２２０に対して、主部２０２側の端部にかけて傾斜面とされている。図５（Ｂ）に示される如く、この傾斜面の突き当て面２２０に対する角度θ１が、図（Ｂ）に示す角度θに相当する。
【００９５】
ここで、遊技盤１８に打ち込まれ、かつ調整されることで、徐々に上方向に傾斜し、かつ徐々に拡幅している命釘１９ＩＮは、予め定めた設定した寸法の許容範囲内である場合と、許容範囲外である場合がある。
【００９６】
本実施の形態に係る釘調整検査具２００では、第１検査部２０４の突き当て面２２０を遊技盤１８に密着させるように、第１検査部２０４に形成された一対のゲージ部２１８を、命釘１９ＩＮの上方にあてがった（例えば、自重のみで置く）ときの検査状態の結果で、命釘１９ＩＮの打ち込み状態が許容範囲内（正常）か、許容範囲外（異常）かの判別が可能となる。
【００９７】
例えば、検査状態の結果が、ゲージ部２１８に沿って命釘１９ＩＮが位置し、かつ、ゲージ部２１８の溝部２１８Ａに収容された場合は、命釘１９ＩＮの打ち込み状態が許容範囲内と判別される（図６（Ａ）の正常状態参照）。
【００９８】
一方、検査状態の結果が、ゲージ部２１８に沿わない（浮いた状態）で命釘１９ＩＮが位置し、かつ、ゲージ部２１８の溝部２１８Ａに収容されない場合は、命釘１９ＩＮの打ち込み状態が許容範囲外と判別される（図６（Ｂ）の異常状態参照）。
【００９９】
（釘調整検査具２００の精度維持）
本実施の形態の釘調整検査具２００は、合成樹脂製の成形品である。成形品の基本設計として、形状ができる限り単純にする、肉厚を均一にする、抜き勾配をつける、シャープコーナーは作らない、アンダーカットはなるべく作らない、及び、ガスベントは適切に設ける、といった条件が要求される。
【０１００】
本実施の形態の釘調整検査具２００では、図５（Ａ）に示される如く、断面の肉厚寸法が均等になるように、空間部２２２を形成している。空間部２２２によって、釘調整検査具２００は、肉厚が均一となり、温度及び湿度を含む環境変化に対して、ひずみを軽減している。
【０１０１】
以下に本実施の形態の作用を説明する。
【０１０２】
パチンコ機１０による遊技では、遊技者がグリップユニット２６（図１参照）を操作すると、一球ずつ発射装置によって上方へ発射される。図２に示される如く、発射された遊技球ＰＢは、外レール１０２に沿って遊技盤１８の遊技領域に打ち込まれ、遊技釘や風車２１に当たり方向を変えながら遊技領域内を落下する。そして、入賞せずに遊技領域の下端部に至った遊技球ＰＢはアウト口１２４からパチンコ機１０内に回収される。
【０１０３】
また、遊技球ＰＢが遊技領域内に設けた特別図柄始動入賞口（Ａ）１２９、特別図柄始動入賞口（Ｂ）１３４に入賞したり、通過ゲート１１８を通過すると、それぞれの遊技仕様に基づく処理（例えば、特別図柄抽選、普通図柄抽選等）が実行されると共に、ＬＣＤ表示部１０６への画像表示演出（例えば、図柄変動パターン演出等）、スピーカ６０を用いた音演出等が実行される。また、図示は省略したが、一般入賞口１２０に入賞すると、予め定めた賞球（払い出し）が実行される。
【０１０４】
（遊技仕様の概要）
特別図柄始動入賞口（Ａ）１２９又は特別図柄始動入賞口（Ｂ）１３４に、遊技球ＰＢが入賞すると、有効始動入賞か否かが判断される。この有効始動入賞とは、保留球が満杯（例えば、１個の始動口に対して４個）ではなく、かつ特別図柄始動入賞口（Ａ）１２９又は特別図柄始動入賞口（Ｂ）１３４へ遊技球ＰＢが入賞したことを言い、これによって、特別図柄抽選の権利を得ることになる。なお、無効始動入賞時は、特別図柄抽選の権利は与えられないが、所定数（３〜５個程度）の賞球払出しがなされる場合もある。
【０１０５】
上記始動入賞が有効始動入賞であった場合に、入賞タイミングに応じて特別図柄抽選用の乱数を取得し、かつ、予め記憶されている当り値を読み出し、双方を比較して、特別図柄抽選が当りか外れかを判定する。
【０１０６】
なお、現在の遊技状態が大当たり処理中、或いは図柄変動パターン演出中の場合は、特別図柄抽選の権利を保留にするべく、保留数を１つ加算（＋１）し、現在の遊技状態が大当たり処理中ではなく、或いは図柄変動パターン演出中でもなくなったときに、保留数を１つ減算して特別図柄抽選処理が実行される。
【０１０７】
この特別図柄抽選の当り／外れに基づいて、図柄変動パターン演出時間を設定し、設定された演出時間を使って報知する。例えば、ＬＣＤ表示部１０６では、図柄変動パターン演出が実行される。
【０１０８】
図柄変動パターン演出は、基本的には、３列の図柄の変動が開始され、様々な演出画像を経て各列の図柄が確定（本停止）するという流れであり、その中から、指示された演出時間に基づいて、リーチの有無、リーチ種等を選択する。なお、リーチ種とは、一般的には演出の違いを示し、特別図柄抽選の当選の可能性を示す比率（期待値等）が定められており、通常は、演出に登場するキャラクタやストーリーの違い、並びに、演出時間に差異を持たせている。これにより、リーチは、期待値の低い順にノーマルリーチ群、スーパーリーチ群、プレミアムリーチ群等に分類され、期待値に基づくそれぞれの選択比率によって選択される。
【０１０９】
図柄変動パターン演出による特別図柄抽選の結果報知後、特別図柄抽選の結果が当たりの場合には、特別遊技状態（大当たり処理）が実行される。通常遊技状態では常に閉止状態のアタッカー１１２を所定のラウンド数（５Ｒ、１０Ｒ、１５Ｒ）だけ開閉する。なお、アタッカー１１２の開放時間は最大３０秒であり、アタッカー１１２が開放中に所定数（例えば、８〜１０個）の遊技球の入賞があった時点で閉止し、所定の閉止時間をおいて、次のラウンド（開放）に移行する。これにより、遊技者は短時間で多くの遊技球の賞球を受けることができる。
【０１１０】
上記、一例として示した遊技仕様を含め、遊技盤１８面に打ち込まれた釘１９は、遊技球ＰＢの動向を決めるための重要な要素となる。
【０１１１】
特に、特別図柄始動入賞口（Ａ）１２９の上方に位置する命釘１９ＩＮの調整如何により、当該特別図柄始動入賞口（Ａ）１２９への入賞率に影響を及ぼす。
【０１１２】
このため、遊技盤１８に打ち込まれた重要な釘１９、特に命釘１９ＩＮは、定期的、又は不定期に釘の調整状態を検査する必要がある。
【０１１３】
命釘１９ＩＮの調整後の状態は、図３（Ａ）に示す寸法Ａ〜Ｅ、及び図３（Ｂ）の角度θである。この内、調整が変動するのは、ｘ方向検査対象としての寸法Ｅと、ｙ方向検査対象としての角度θである。
【０１１４】
ところで、従来の命釘１９ＩＮの調整状態の検査では、ｘ方向及びｙ方向をそれぞれ別々のゲージで検査しており、作業効率が悪いという欠点がある。また、ゲージの構造上、検査の仕方によって、或いは、検査員の熟練度によって、検査結果に差が生じる場合がある。
【０１１５】
これに対して、本実施の形態の釘調整検査具２００は、ｘ方向検査対象である寸法Ｅと、ｙ方向検査対象である角度θを１回の動作で検査できるようにした。
【０１１６】
以下、検査手順を説明する。
【０１１７】
まず、検査対象の命釘１９ＩＮのｘ方向の設定値を認識する。これは、遊技盤１８の仕様によって異なり、通常は１１．５０ｍｍ又は１２．００ｍｍの何れかの設定である。
【０１１８】
このため、本実施の形態の釘調整検査具２００では、主部２０２を挟んで、長手方向両端部に、２種類の第１検査部２０４、及び第２検査部２０６を設けている。一方の第１検査部２０４は、１２．００ｍｍ用であり、他方の第２検査部２０６は、１１．５０ｍｍである。
【０１１９】
検査員は、遊技盤１８の仕様を認識して、何れかが第１検査部２０４（又は第２検査部２０６）を選択する。以下、第１検査部２０４を選択したこととする。
【０１２０】
検査員は、選択した第１検査部２０４が遊技盤１８に対峙するように、主部２０２を把持する。
【０１２１】
次に、遊技盤１８に対峙した第１検査部２０４の突き当て面２２０を遊技盤１８に密着させるように、第１検査部２０４に形成された一対のゲージ部２１８を、命釘１９ＩＮの上方にあてがう。その後、自重のみで保持されるように、主部２０２から把持した手を離す。
【０１２２】
この場合、図３（Ａ）の寸法Ａ及び寸法Ｂは、基本的に遊技盤１８に打ち込まれた時点で変動はないため、突き当て面２２０では、命釘１９ＩＮの上にゲージ部２１８が対峙することになる。この状態が検査状態となる。
【０１２３】
ここで、検査状態の結果が、ゲージ部２１８に沿って命釘１９ＩＮが位置し、かつ、ゲージ部２１８の溝部２１８Ａに収容された場合は、命釘１９ＩＮの打ち込み状態が許容範囲内と判別される（図６（Ａ）の正常状態参照）。
【０１２４】
図６（Ａ１）は、図３（Ａ）に対応しており、第１検査部２０４のゲージ部２１８の拡幅に沿って命釘１９ＩＮが配置されていることがわかる。なお、図３（Ｃ）に対応する図６（Ａ３）においても同様に、第１検査部２０４のゲージ部２１８に沿って命釘１９ＩＮが配置されていることがわかる。
【０１２５】
また、図６（Ａ２）は、図３（Ｂ）に対応しており、第１検査部２０４のゲージ部２１８の傾斜に沿って命釘１９ＩＮが配置されていることがわかる。
【０１２６】
一方、検査状態の結果が、ゲージ部２１８に沿わない（浮いた状態）で命釘１９ＩＮが位置し、かつ、ゲージ部２１８の溝部２１８Ａに収容されない場合は、命釘１９ＩＮの打ち込み状態が許容範囲外と判別される（図６（Ｂ）の異常状態参照）。
【０１２７】
図６（Ｂ１）は、図３（Ａ）に対応しており、第１検査部２０４のゲージ部２１８の拡幅と、命釘１９ＩＮの拡幅とが合わず、ずれていることがわかる。なお、図３（Ｃ）に対応する図６（Ｂ３）において、第１検査部２０４のゲージ部２１８に命釘１９ＩＮが収容されていないことがわかる。
【０１２８】
なお、図６（Ｂ２）は、図３（Ｂ）に対応しており、ｘ方向検査が異常であれば、当然第１検査部２０４のゲージ部２１８の傾斜に沿って命釘１９ＩＮが配置されない。
【０１２９】
また、図６（Ｂ２）において、仮に、ｘ方向検査が正常（図５（Ａ１）の状態参照）であっても、第１検査部２０４のゲージ部２１８の傾斜に沿わない場合は、ｙ方向が異常であることがわかる。
【０１３０】
また、本実施の形態の釘調整検査具２００では、図５（Ａ）に示される如く、断面の肉厚寸法が均等になるように、空間部２２２を形成していため、肉厚が均一となり、温度及び湿度を含む環境変化に対して、ひずみを軽減できる。
【０１３１】
言い換えれば、従来の金属製のゲージに比べて、環境に関わらず、適正な命釘１９ＩＮの調整状態の検査が可能となる。
【０１３２】
なお、第２検査部２０６においても、同様の作用効果を奏する。
【０１３３】
以上説明したように、本実施の形態の釘調整検査具２００では、ｘ方向検査対象である寸法Ｅと、ｙ方向検査対象である角度θを１回の動作で検査できるようにした。すなわち、第１検査部２０４及び第２検査部２０６に命釘１９ＩＮのｘ方向の調整と同等に拡幅（図３（Ａ）の寸法Ｅ）しているゲージ部２１８を形成すると共に、当該ゲージ部２１８を命釘１９ＩＮのｙ方向の調整と同等に傾斜（図３（Ｂ）の角度θ）する構造とした。
【０１３４】
このため、ｘ方向、及びｙ方向の検査が同時に実行可能であるため、作業効率が向上される。また、検査の仕方によって、或いは、検査員の熟練度によって、検査結果に差が生じるようなことはなく、未熟な検査員であっても、正確な検査が可能である。
【０１３５】
（変形例）
本実施の形態では、釘調整検査具２００の命釘１９ＩＮに対する相対位置、すなわち、命釘１９ＩＮがゲージ部２１８に沿って配置され、溝部２１８Ａに収容されているか否かで、調整の適否を判別している。
【０１３６】
この場合、検査場所が狭い、暗いといった劣悪な環境での目視検査を強いられると、判定精度に影響を及ぼす場合がある。
【０１３７】
そこで、以下の変形例１（図７参照）、及び変形例２（図８参照）のように、検査状態の結果の目視での判定を見易くする構成を付加するようにしてもよい。なお、変形例１及び変形例２においても、第１検査部２０４を選択したこととするが、第２検査部２０６でも同様の作用効果を奏する。
【０１３８】
「変形例１」
図７に示される如く、変形例１では、第１検査部２０４の上面とゲージ部２１８と間に、内径に段差がある貫通孔２２４を設け、頭部２２６Ａを有する指標ピン２２６を挿入した。
【０１３９】
指標ピン２２６は、貫通孔２２４の軸線方向に自由に移動可能となっている。
【０１４０】
指標ピン２２６は、通常状態では、その軸部２２６Ｂの先端部がゲージ部２１８を突き抜けて突出された状態で収容されている。
【０１４１】
図７（Ａ）は、検査状態（第１検査部２０４を命釘１９ＩＮに載せた状態）における正常状態を示しており、正常状態では、命釘１９ＩＮが指標ピン２２６の軸部２２６Ｂを押圧するため、指標ピン２２６の頭部２２６Ａが第１検査部２０４の上面が突出する。これにより、検査員は指標ピン２２６の頭部２２６Ａが突出していることで、正常であると判定することができる。
【０１４２】
一方、図７（Ｂ）は、検査状態（第１検査部２０４を命釘１９ＩＮに載せた状態）における異常状態を示しており、異常状態では、命釘１９ＩＮが指標ピン２２６の軸部２２６Ｂを押圧できないため、指標ピン２２６の頭部２２６Ａが第１検査部２０４の上面が突出しない。これにより、検査員は指標ピン２２６の頭部２２６Ａが突出していないことで、異常であると判定することができる。
【０１４３】
「変形例２」
図８に示される如く、変形例２では、第１検査部２０４において、ゲージ部２１８の異なる２位置に端子２３０、２３２が露出されている。一方の端子２３０は電源（電池）２３４を介して、発光ダイオード２３６のアノード側に接続され、他方の端子２３２は、発光ダイオード２３６のカソード側に接続されている。
【０１４４】
発光ダイオード２３６は、例えば、主部２０２に形成した透明又は半透明のアクリル板（ロゴマーグ標記）の裏面側に配置するようにしてもよい。
【０１４５】
図８（Ａ）は、検査状態（第１検査部２０４を命釘１９ＩＮに載せた状態）における正常状態を示しており、正常状態では、金属製である命釘１９ＩＮが、一対の端子２３０、２３２を導通させるため、発光ダイオード２３６が点灯する。これにより、検査員は発光ダイオード２３６の点灯で、正常であると判定することができる。
【０１４６】
一方、図８（Ｂ）は、検査状態（第１検査部２０４を命釘１９ＩＮに載せた状態）における異常状態を示しており、異常状態では、金属製である命釘１９ＩＮが、一対の端子２３０、２３２を導通させることができないため、発光ダイオード２３６は点灯しない。これにより、検査員は発光ダイオード２３６の非点灯で、異常であると判定することができる。
【符号の説明】
【０１４７】
ＰＢ    遊技球
１０    パチンコ機（遊技機）
１８    遊技盤
２６    グリップユニット（発射ハンドル）
１９    釘
１９ＩＮ    命釘
２１    風車
１０５    センター役物
１０６    液晶表示部（ＬＣＤ表示部）
１１８Ａ    通過ゲート
１１８Ｂ    通過ゲート
１２９    特別図柄始動入賞口（Ａ）
１３４    特別図柄始動入賞口（Ｂ）
１３６    電動チューリップ
１１２    アタッカー
１１６    開閉扉
１２４    アウト口
２００    釘調整検査具
２０２    主部
２０４    第１検査部
２０６    第２検査部
２０８    突起部
２１０    空間部
２１２    刻印部
２１４    突出部
２１６    屈曲部
２１８    ゲージ部
２１８Ａ    溝部
２２０    突き当て面部
２２２    空間部
【図１】
2017176245.tif 000003
【図２】
2017176245.tif 000004
【図３】
2017176245.tif 000005
【図４】
2017176245.tif 000006
【図５】
2017176245.tif 000007
【図６】
2017176245.tif 000008
【図７】
2017176245.tif 000009
【図８】
2017176245.tif 000010